(57)【要約】【課題】床暖房パネルに供給される熱媒の温度が低くなるのを防止することができることとなって、暖房能力が低下するのを防止できる床暖房パネル用熱媒ヘッダを提供する。【解決手段】板状のブロック体からなるヘッダ本体６の内部には、熱源からの熱媒受入用接続部７と床暖房パネルの熱媒入口に接続される熱媒供給部９とを連通接続する熱媒供給用連通路１１と、熱源への熱媒戻し用接続部８と床暖房パネルの熱媒出口に接続される熱媒排出部１０とを連通接続する熱媒戻し用連通路１２とがヘッダ本体６の上下方向にずらした状態で区画形成され、ヘッダ本体６は、熱媒供給用連通路１１と熱媒戻し用連通路１２との間に空気層密閉空間２５を形成して、熱媒供給用連通路１１と熱媒戻し用連通路１２との間を断熱するように構成されている。【選択図】図２７
2008057969.tif 000002
【特許請求の範囲】
【請求項１】
板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダであって、
前記ヘッダ本体の外側面部のうち、対向する一対の外側面部には、前記熱媒供給部と前記熱媒排出部とが前記ヘッダ本体の外周方向に交互に並ぶ状態で配設され、
前記ヘッダ本体が、それの上下方向に分割形成された複数の板状構成体を積層状態で接合して構成され、
前記ヘッダ本体は、前記熱媒供給用連通路と前記熱媒戻し用連通路との間に空気層密閉空間を形成して、前記熱媒供給用連通路と前記熱媒戻し用連通路との間を断熱するように構成されている床暖房パネル用熱媒ヘッダ。
【発明の詳細な説明】
【技術分野】
【０００１】
本発明は、板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダに関する。
【背景技術】
【０００２】
上記のような床暖房パネル用熱媒ヘッダは、熱媒受入用接続部に熱源からの熱源用往き管を接続し、熱媒戻し用接続部に熱源への熱源用戻し管を接続し、熱媒供給部に床暖房パネルにおける熱媒流通管の熱媒入口を接続し、熱媒排出部に床暖房パネルにおける熱媒流通管の熱媒出口を接続して使用され、熱源からの熱源用往き管を通して供給される熱媒を分流させて床暖房パネルにおける熱媒流通管に供給するとともに、床暖房パネルにおける熱媒流通管を通過してから戻ってくる熱媒を合流させて熱源への熱源用戻し管を通して熱源に戻すためのものである。
【０００３】
上記のような床暖房パネル用熱媒ヘッダにおいて、従来では、ヘッダ本体が角筒状に形成され、その角筒状のヘッダ本体の内部に板状体を備えることによって、ヘッダ本体の内部に、熱媒供給用連通路と熱媒戻し用連通路とをヘッダ本体の上下方向にずらした状態で区画形成するようにしている（例えば、特許文献１参照。）。
【０００４】
また、他の従来の床暖房パネル用熱媒ヘッダでは、ブロック体の内部をドリルにて加工することによって、ヘッダ本体の内部に、熱媒供給用連通路と熱媒戻し用連通路とをヘッダ本体の上下方向にずらした状態で区画形成するようにしている（例えば、特許文献２参照。）。
【０００５】
【特許文献１】特開平１１−１０８３８２号公報
【特許文献２】特開平９−２６９１３５号公報
【発明の開示】
【発明が解決しようとする課題】
【０００６】
上記特許文献１に示されている床暖房パネル用熱媒ヘッダでは、角筒状のヘッダ本体の内部に板状体を備えることにより、熱媒供給用連通路と熱媒戻し用連通路とを区画形成するようにしているので、熱媒供給用連通路を通流する熱媒と熱媒戻し用連通路を通流する熱媒とが混ざり合うことを防止するために、板状体の外周縁をその全周にわたってヘッダ本体の内面に熱媒の漏れがないように接合しなければならず、ヘッダ本体の製作が手間のかかるものとなっている。
【０００７】
ちなみに、熱媒戻し用連通路を通流する熱媒が、床暖房パネルを通過することにより温度低下した熱媒であるので、その温度低下した熱媒戻し用連通路を通流する熱媒と床暖房パネルに供給される熱媒供給用連通路を通流する熱媒とが混ざり合うと、床暖房パネルに供給される熱媒の温度が低くなって、暖房能力が低下する虞がある。
【０００８】
上記特許文献２に示されている床暖房パネル用熱媒ヘッダでは、ブロック体の内部をドリルにて加工することによって、熱媒供給用連通路と熱媒戻し用連通路とを区画形成しているので、そのドリルによる加工を行うだけで、熱媒供給用連通路を通流する熱媒と熱媒戻し用連通路を通流する熱媒とが混ざり合わないように、熱媒供給用連通路と熱媒戻し用連通路とを区画形成できることになる。
しかしながら、ドリルにて加工することによって、熱媒供給用連通路と熱媒戻し用連通路を形成する作業自体が手間のかかるものであるので、ヘッダ本体の製作が手間のかかるものとなっている。
【０００９】
また、ドリルにて加工することによって、熱媒供給用連通路と熱媒戻し用連通路とを区画形成するものでは、熱媒供給用連通路と熱媒戻し用連通路の通路面積が小さくなるので、熱媒供給用連通路と熱媒戻し用連通路の通路抵抗が大きくなり、床暖房パネル用熱媒ヘッダから床暖房パネルに供給される熱媒の量が少なくなる。
したがって、床暖房パネル用熱媒ヘッダから床暖房パネルに供給される熱媒の量が少なくなるのを防止するために、熱媒供給用連通路の本数を複数にするなどの加工が必要となり、複数の熱媒供給用連通路を形成するようにドリルにて加工することとなって、この点からも、ヘッダ本体の製作が手間のかかるものとなる。
【００１０】
ちなみに、床暖房パネル用熱媒ヘッダから床暖房パネルに供給される熱媒の量が少なくなると、熱源から床暖房パネル用熱媒ヘッダに対して床暖房パネルにて要求されている量の熱媒を供給しているにもかかわらず、床暖房パネルには要求されている量の熱媒が供給されないことになるので、暖房能力が低下する虞がある。
【００１１】
本発明は、かかる点に着目してなされたものであり、その目的は、ヘッダ本体の製作の容易化を図ることができる床暖房パネル用熱媒ヘッダを提供する点にある。
【課題を解決するための手段】
【００１２】
この目的を達成するために、請求項１に記載の発明によれば、板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダにおいて、
前記ヘッダ本体の外側面部のうち、対向する一対の外側面部には、前記熱媒供給部と前記熱媒排出部とが前記ヘッダ本体の外周方向に交互に並ぶ状態で配設され、前記ヘッダ本体が、それの上下方向に分割形成された複数の板状構成体を積層状態で接合して構成されていることを特徴とする。
【００１３】
すなわち、ヘッダ本体が、それの上下方向に分割形成された複数の板状構成体を積層状態で接合して構成されているので、例えば、内部を繰り抜いた中空状、断面が凹入状や平板状の板状構成体を組み合わせて積層状態で接合することにより、熱媒供給用連通路と熱媒戻し用連通路とをヘッダ本体の上下方向にずらした状態で区画形成して、ヘッダ本体を構成することができることになる。
そして、複数の板状構成体を積層状態で接合するので、大きな接合面を備えて、その接合面にて複数の板状構成体の接合を行うことができることになる。
したがって、大きな接合面にて板状構成体を積層状態で接合することができるので、熱媒の漏れがないように容易に接合することができることとなって、ヘッダ本体の製作の容易化を図ることができることになる。
【００１４】
また、複数の板状構成体は、板状のヘッダ本体の上下方向に分割形成されているので、ヘッダ本体の横方向に分割形成されているものと比べて、少ない枚数の板状構成体にてヘッダ本体を構成することができることになり、この点からも、ヘッダ本体の製作の容易化を図ることができることになる。
【００１５】
そして、熱媒供給用連通路の形状、および、熱媒戻し用連通路の形状は、板状構成体の形状に応じて決まるので、板状構成体の形状を調整することによって、熱媒供給用連通路の形状、および、熱媒戻し用連通路の形状を、ヘッダ本体の上下方向に薄くて横幅が広い偏平な形状として、熱媒供給用連通路および熱媒戻し用連通路の通路面積を大きなものとすることができることになる。
したがって、熱媒供給用連通路と熱媒戻し用連通路の通路抵抗を小さくすることができて、あらたな加工を施さなくても、床暖房パネル用熱媒ヘッダから床暖房パネルに供給される熱媒の量が少なくなるのを防止することができることとなって、この点からも、ヘッダ本体の製作の容易化を図ることができることになる。
【００１６】
以上のことから、請求項１に記載の発明によれば、単に、複数の板状構成体を積層状態で接合するだけで、熱媒供給用連通路を通流する熱媒と熱媒戻し用連通路を通流する熱媒とが混ざり合わないように、熱媒供給用連通路と熱媒戻し用連通路とを区画形成し、かつ、熱媒供給用連通路および熱媒戻し用連通路の通路面積を大きくしながら、ヘッダ本体を製作することができることとなって、ヘッダ本体の製作の容易化を図ることができる床暖房パネル用熱媒ヘッダを提供できるに至った。
【００１７】
請求項２に記載の発明によれば、前記ヘッダ本体における前記熱媒供給用連通路を形成する部分が、平板状の供給用平板構成体と内部を繰り抜いた中空状の供給用中空構成体と平板状の中間平板構成体とから構成され、
前記ヘッダ本体における前記熱媒戻し用連通路を形成する部分が、前記中間平板構成体と内部を繰り抜いた中空状の戻し用中空構成体と平板状の戻し用平板構成体とから構成され、
前記ヘッダ本体が、前記供給用平板構成体と前記中間平板構成体との間に前記供給用中空構成体を挟み込み、かつ、前記中間平板構成体と前記戻し用平板構成
体との間に前記戻し用中空構成体を挟み込む状態で、前記供給用平板構成体と前記供給用中空構成体と前記中間平板構成体と前記戻し用中空構成体と前記戻し用平板構成体とを積層状態で接合して構成されていることを特徴とする。
【００１８】
すなわち、供給用平板構成体と中間平板構成体との間に供給用中空構成体を挟み込む状態で、供給用平板構成体と供給用中空構成体と中間平板構成体とを積層状態で接合することにより、供給用中空構成体における中空空間を利用して熱媒供給用連通路を形成することができ、その熱媒供給用連通路の形状をヘッダ本体の上下方向に薄くて横幅が広い偏平な形状とすることができることになる。
また、中間平板構成体と戻し用平板構成体との間に戻し用中空構成体を挟み込む状態で、中間平板構成体と戻し用中空構成体と戻し用平板構成体とを積層状態で接合することにより、戻し用中空構成体における中空空間を利用して熱媒戻し用連通路が形成され、その熱媒戻し用連通路の形状をヘッダ本体の上下方向に薄くて横幅が広い偏平な形状とすることができることになる。
【００１９】
このように、熱媒供給用連通路の形状、および、熱媒戻し用連通路の形状を、ヘッダ本体の上下方向に薄くて横幅が広い偏平な形状とすることができるので、ヘッダ本体をその上下方向に薄くしながらも、熱媒供給用連通路および熱媒戻し用連通路の通路面積を大きくすることができることになる。
そして、ヘッダ本体をその上下方向に薄くすることによって、ヘッダ本体の上下方向での厚みが薄い床暖房パネルであっても、その床暖房パネルよりも上方側に突出しない薄型の床暖房パネル用熱媒ヘッダを製作することができることになり、ヘッダ本体の上下方向での厚みが薄い床暖房パネルにも対応可能な床暖房パネル用熱媒ヘッダを製作することができることになる。
【００２０】
したがって、供給用平板構成体と供給用中空構成体と中間平板構成体と戻し用中空構成体と戻し用平板構成体とを積層状態で接合するだけで、熱媒供給用連通路の形状、および、熱媒戻し用連通路の形状を、ヘッダ本体の上下方向に薄くて横幅が広い偏平な形状として、ヘッダ本体の上下方向での厚みが薄い床暖房パネルにも対応可能な床暖房パネル用熱媒ヘッダを製作することができながら、ヘッダ本体の製作の容易化を図ることができることになる。
【００２１】
請求項３に記載の発明によれば、前記ヘッダ本体における前記熱媒受入用接続部を接続する熱媒受入用接続箇所に、前記供給用中空構成体における中空空間と連通しかつ前記戻し用中空構成体における中空空間と仕切られている状態で、前記供給用中空構成体と前記中間平板構成体と前記戻し用中空構成体との積層方向に延びる熱媒受入用中継路を形成すべく、熱媒受入用中継路形成部分が、前記供給用中空構成体と前記中間平板構成体と前記戻し用中空構成体とに備えられ、
前記ヘッダ本体における前記熱媒供給部を接続する熱媒供給用接続箇所に、前記供給用中空構成体における中空空間と連通しかつ前記戻し用中空構成体における中空空間と仕切られている状態で、前記供給用中空構成体と前記中間平板構成体と前記戻し用中空構成体との積層方向に延びる熱媒供給用中継路を形成すべく、熱媒供給用中継路形成部分が、前記供給用中空構成体と前記中間平板構成体と前記戻し用中空構成体とに備えられ、
前記ヘッダ本体における前記熱媒戻し用接続部を接続する熱媒戻し用接続箇所に、前記戻し用中空構成体における中空空間と連通しかつ前記供給用中空構成体における中空空間と仕切られている状態で、前記供給用中空構成体と前記中間平板構成体と前記戻し用中空構成体との積層方向に延びる熱媒戻し用中継路を形成すべく、熱媒戻し用中継路形成部分が、前記供給用中空構成体と前記中間平板構成体と前記戻し用中空構成体とに備えられ、
前記ヘッダ本体における前記熱媒排出部を接続する熱媒排出用接続箇所に、前記戻し用中空構成体における中空空間と連通しかつ前記供給用中空構成体における中空空間と仕切られている状態で、前記供給用中空構成体と前記中間平板構成体と前記戻し用中空構成体との積層方向に延びる熱媒排出用中継路を形成すべく、熱媒排出用中継路形成部分が、前記供給用中空構成体と前記中間平板構成体と前記戻し用中空構成体とに備えられていることを特徴とする。
【００２２】
すなわち、供給用中空構成体における中空空間が、熱媒供給用連通路として利用され、戻し用中空構成体における中空空間が、熱媒戻し用連通路として利用されることになるので、熱媒受入用中継路が、熱媒供給用連通路と連通しかつ熱媒戻し用連通路と仕切られることになる。
また、熱媒供給用中継路は、熱媒供給用連通路と連通しかつ熱媒戻し用連通路と仕切られ、熱媒戻し用中継路は、熱媒供給用連通路と仕切られかつかつ熱媒戻し用連通路と連通し、熱媒排出用中継路は、熱媒供給用連通路と仕切られかつかつ熱媒戻し用連通路と連通することになる。
【００２３】
そして、供給用平板構成体と供給用中空構成体と中間平板構成体と戻し用中空構成体と戻し用平板構成体とを積層状態で接合することにより、熱媒受入用接続箇所には、熱媒供給用連通路と連通しかつ熱媒戻し用連通路と仕切られている熱媒受入用中継路が形成される。
また、熱媒供給用接続箇所には、熱媒供給用連通路と連通しかつ熱媒戻し用連通路と仕切られている熱媒供給用中継路が形成され、熱媒戻し用接続箇所には、熱媒戻し用連通路と連通しかつ熱媒供給用連通路と仕切られている熱媒戻し用中継路が形成され、熱媒排出用接続箇所には、熱媒戻し用連通路と連通しかつ熱媒供給用連通路と仕切られている熱媒排出用中継路が形成されることになる。
【００２４】
したがって、熱媒受入用接続部、熱媒戻し用接続部、熱媒供給部、および、熱媒排出部を接続するに当たって、供給用平板構成体と供給用中空構成体と中間平板構成体と戻し用中空構成体と戻し用平板構成体とを積層状態で接合したのち、熱媒受入用中継路、熱媒供給用中継路、熱媒戻し用中継路、および、熱媒排出用中継路に、例えば、ドリルにて孔加工することにより、熱媒受入用接続部と熱媒供給用連通路と熱媒供給部とを連通しかつ熱媒受入用接続部と熱媒供給用連通路と熱媒供給部とを連通することができることになる。
【００２５】
したがって、例えば、ドリルにて孔加工するという簡素な加工を行うだけで、熱媒受入用接続部と熱媒供給用連通路と熱媒供給部とを連通しかつ熱媒受入用接続部と熱媒供給用連通路と熱媒供給部とを連通する状態で、熱媒受入用接続部、熱媒戻し用接続部、熱媒供給部、および、熱媒排出部を接続することができることとなって、熱媒受入用接続部、熱媒戻し用接続部、熱媒供給部、および、熱媒排出部の接続を容易に行うことができることになる。
【００２６】
請求項４に記載の発明によれば、前記熱媒供給用連通路を形成する部分が、供給用構成体と中間用構成体とから構成され、前記熱媒戻し用連通路を形成する部分が、戻し用構成体と前記中間用構成体とから構成され、
前記ヘッダ本体が、前記供給用構成体と前記戻し用構成体との間に前記中間用構成体を挟み込む状態で、前記供給用構成体と前記中間用構成体と前記戻し用構成体とを積層状態で接合して構成されていることを特徴とする。
【００２７】
すなわち、例えば、供給用構成体を断面が凹入状の形状に構成し、中間用構成体を平板状あるいは断面がＨ字状の形状に構成し、戻し用構成体を断面が凹入状の形状に構成し、供給用構成体と戻し用構成体との間に中間用構成体を挟み込む状態で、供給用構成体と中間用構成体と戻し用構成体とを積層状態で接合することにより、供給用構成体と中間用構成体にて熱媒供給用連通路を形成し、中間用構成体と戻し用構成体にて熱媒戻し用連通路を形成することができることになる。
したがって、供給用構成体と中間用構成体と戻し用構成体との３種類の板状構成体を積層状態で接合するだけで、ヘッダ本体を製作することができることになるので、ヘッダ本体の製作の容易化を図ることができることになる。
【００２８】
そして、供給用構成体と中間用構成体と戻し用構成体の形状を調整することによって、熱媒供給用連通路の形状、および、熱媒戻し用連通路の形状を、ヘッダ本体の上下方向に薄くて横幅が広い偏平な形状とすることができることになる。
したがって、熱媒供給用連通路の形状、および、熱媒戻し用連通路の形状を、ヘッダ本体の上下方向に薄くて横幅が広い偏平な形状として、ヘッダ本体の上下方向での厚みが薄い床暖房パネルにも対応可能な床暖房パネル用熱媒ヘッダを製作することができながら、ヘッダ本体の製作の容易化を図ることができることになる。
【００２９】
請求項５に記載の発明によれば、前記ヘッダ本体は、前記熱媒供給用連通路と前記熱媒戻し用連通路との間を断熱するように構成されていることを特徴とする。
【００３０】
すなわち、床暖房パネルに供給される熱媒供給用連通路を通流する熱媒と、床暖房パネルの通過により温度低下した熱媒戻し用連通路を通流する熱媒との間での熱の授受を防止することができることになるので、熱媒供給用連通路を通流する熱媒が熱媒戻し用連通路を通流する熱媒にて冷却されることを防止することができることになる。
したがって、床暖房パネルに供給される熱媒の温度が低くなるのを防止することができることとなって、暖房能力が低下するのを防止できることになる。
【発明を実施するための最良の形態】
【００３１】
本発明にかかる床暖房パネル用熱媒ヘッダを適応した床暖房パネルを図面に基づいて説明する。
〔第１実施形態〕
この床暖房パネルは、図１に示すように、熱媒流通管１が埋入状態で配管されている板状基材２からなる床暖房パネル本体３から構成され、その床暖房パネル本体３に蛇行状に配管されている熱媒流通管１に床暖房パネル用熱媒ヘッダ４を介して図外の熱源機から熱媒としての温水を流通させることにより、暖房対象の床を暖房するように構成されている。
そして、床暖房パネル用熱媒ヘッダ４には、４本の熱媒流通管１が接続され、板状基材２に形成された溝部に熱媒流通管１を嵌め込むことにより、熱媒流通管１を埋入状態で配管するように構成されている。
【００３２】
前記熱媒流通管１は、一般的に架橋ポリエチレン管やポリブテン樹脂管などが使用され、接続部のない管から構成され、配管の信頼性を高めるようにしている。
そして、熱媒流通管１の両端は、床暖房パネル用熱媒ヘッダ４に接続され、図外の熱源機から熱媒が床暖房パネル用熱媒ヘッダ４を介して４本の熱媒流通管１の夫々に分流して供給され、４本の熱媒流通管１を通過した熱媒が床暖房パネル用熱媒ヘッダ４を介して合流して熱源機に戻されるように構成されている。
【００３３】
前記床暖房パネル本体３は、板状基材２と、熱媒流通管１が配管された状態で板状基材２の上面に設けられる均熱用の表面板５とから構成されている。
そして、板状基材２の材質は、発泡樹脂製のもの、木質製のものや、樹脂製のものなどが適応可能であり、発泡樹脂製のものでは、例えば、硬質のポリスチレン発泡体やポリエスチレン発泡体など各種の発泡体が適応可能であり、発泡体の上面に合成樹脂製の樹脂シート成型体を積層する構成としてもよい。
また、均熱用の表面板５としては、アルミ箔や熱伝導率がよい可撓性の薄い金属などで構成するようにしている。
【００３４】
以下、床暖房パネル用熱媒ヘッダ４の構成について説明を加える。
前記床暖房パネル用熱媒ヘッダ４は、図２に示すように、板状のブロック体からなるヘッダ本体６から構成され、そのヘッダ本体６の外周部に、熱源機からの熱媒受入用接続部７、熱源機への熱媒戻し用接続部８、床暖房パネルの熱媒入口に接続される熱媒供給部９、および、床暖房パネルの熱媒出口に接続される熱媒排出部１０が備えられている。
そして、ヘッダ本体６の内部には、図３に示すように、熱媒受入用接続部７と熱媒供給部９とを連通接続する熱媒供給用連通路１１と、熱媒戻し用接続部８と熱媒排出部１０とを連通接続する熱媒戻し用連通路１２とがヘッダ本体６の上下方向にずらした状態で区画形成されている。
【００３５】
説明を加えると、ヘッダ本体６の外側面部のひとつには、図２に示すように、熱媒受入用接続部７と熱媒戻し用接続部８とが、ヘッダ本体６の外周方向に並ぶように配設されている。
そして、熱媒受入用接続部７に熱源機からの熱源用往き管を接続し、熱媒戻し用接続部８に熱源機への熱源用戻し管を接続するように構成されている。
【００３６】
また、ヘッダ本体６の外側面部のうち、熱媒受入用接続部７と熱媒戻し用接続部８とが設けられている側面部に隣接する側面部には、熱媒供給部９の配設位置と熱媒排出部１０の配設位置とが対向する状態で、熱媒供給部９と熱媒排出部１０とがヘッダ本体６の外周方向に交互に並ぶように熱媒供給部９の２つと熱媒排出部１０の２つが配設されている。
このようにして、ヘッダ本体６の外側面部のうち、対向する一対の外側面部には、熱媒供給部９と熱媒排出部１０とがヘッダ本体６の外周方向に交互に並ぶ状態で配設され、熱媒供給部９に熱媒流通管１の熱媒入口側の端部を接続し、熱媒排出部１０に熱媒流通管１の熱媒出口側の端部を接続するように構成されている。
【００３７】
前記ヘッダ本体６の構成について説明を加えると、ヘッダ本体６が、図２〜図５に示すように、それの上下方向に分割形成された複数の板状構成体２６を積層状態で接合して構成されている。
ちなみに、図２は、床暖房パネル用熱媒ヘッダ４の斜視図であり、図３は、床暖房パネル用熱媒ヘッダ４の縦断面図であり、図４は、ヘッダ本体６の分解斜視図であり、図５は、複数の板状構成体２６の平面図である。
また、図３の（イ）は、床暖房パネル用熱媒ヘッダ４の縦断正面図であり、図３の（ロ）は、熱媒受入用接続部７を示す床暖房パネル用熱媒ヘッダ４の縦断側面図であり、図３の（ハ）は、熱媒戻し用接続部８を示す床暖房パネル用熱媒ヘッダ４の縦断側面図である。
【００３８】
説明を加えると、ヘッダ本体６における熱媒供給用連通路１１を形成する部分が、図５に示すように、平板状の供給用平板構成体２７と内部を繰り抜いた中空状の供給用中空構成体２８と平板状の中間平板構成体２９とから構成されている。
また、ヘッダ本体６における熱媒戻し用連通路１２を形成する部分が、中間平板構成体２９と内部を繰り抜いた中空状の戻し用中空構成体３０と平板状の戻し用平板構成体３１とから構成されている。
ちなみに、図５の（イ）は、供給用平板構成体２７を示し、図５の（ロ）は、供給用中空構成体２８を示し、図５の（ハ）は、中間平板構成体２９を示し、図５の（ニ）は、戻し用中空構成体３０を示し、図５の（ホ）は、戻し用平板構成体３１を示している。
【００３９】
そして、ヘッダ本体６が、図４に示すように、供給用平板構成体２７と中間平板構成体２９との間に供給用中空構成体２８を挟み込み、かつ、中間平板構成体２９と戻し用平板構成体３１との間に戻し用中空構成体３０を挟み込む状態で、供給用平板構成体２７と供給用中空構成体２８と中間平板構成体２９と戻し用中空構成体３０と戻し用平板構成体３１とを積層状態で接合して構成されている。
【００４０】
このようにして、供給用平板構成体２７と供給用中空構成体２８と中間平板構成体２９と戻し用中空構成体３０と戻し用平板構成体３１との複数の板状構成体２６を積層状態で接合することによって、供給用中空構成体２８における中空空間２８ａを利用して熱媒供給用連通路１１を形成し、その熱媒供給用連通路１１の形状をヘッダ本体６の上下方向に薄くて横幅が広い偏平な形状とするように構成されている。
また、熱媒戻し用連通路１２についても、戻し用中空構成体３０における中空空間３０ａを利用して熱媒戻し用連通路１２を形成し、その熱媒戻し用連通路１２の形状をヘッダ本体６の上下方向に薄くて横幅が広い偏平な形状とするように構成されている。
【００４１】
そして、供給用平板構成体２７と供給用中空構成体２８と中間平板構成体２９と戻し用中空構成体３０と戻し用平板構成体３１との複数の板状構成体２６は、いずれも真鍮製の薄板体にて構成されている。
また、供給用平板構成体２７と戻し用平板構成体３１とは、例えば、その厚みが１ｍｍ程度に構成され、供給用中空構成体２８と中間平板構成体２９と戻し用中空構成体３０とは、例えば、その厚みが２ｍｍ程度に構成されている。
【００４２】
そして、供給用中空構成体２８、中間平板構成体２９、戻し用中空構成体３０における加工は、例えば、プレス加工やエッチング加工により施されている。
また、供給用平板構成体２７と供給用中空構成体２８と中間平板構成体２９と戻し用中空構成体３０と戻し用平板構成体３１との接合については、供給用平板構成体２７と供給用中空構成体２８と中間平板構成体２９と戻し用中空構成体３０と戻し用平板構成体３１とを積層状態として、大きな接合面を備えて、例えば、ロウ付けにより接合するように構成されている。
【００４３】
前記ヘッダ本体６における熱媒受入用接続部７を接続する熱媒受入用接続箇所３２に、図３の（ロ）に示すように、供給用中空構成体２８における中空空間２８ａと連通しかつ戻し用中空構成体３０における中空空間３０ａと仕切られている状態で、供給用中空構成体２８と中間平板構成体２９と戻し用中空構成体３０との積層方向に延びる熱媒受入用中継路３３を形成すべく、熱媒受入用中継路形成部分３４が、図５の（ロ）〜（ニ）に示すように、供給用中空構成体２８と中間平板構成体２９と戻し用中空構成体３０とに備えられている。
【００４４】
説明を加えると、供給用中空構成体２８に備えられる熱媒受入用中継路形成部分３４は、図５の（ロ）に示すように、中空空間２８ａにて兼用され、中間平板構成体２９に備えられる熱媒受入用中継路形成部分３４は、図５の（ハ）に示すように、上下方向に貫通する貫通孔にて構成され、戻し用中空構成体３０に備えられる熱媒受入用中継路形成部分３４は、図５の（ニ）に示すように、中空空間３０ａと仕切られた状態で上下方向に貫通する貫通孔にて構成されている。
そして、図３の（ロ）に示すように、供給用平板構成体２７と供給用中空構成体２８と中間平板構成体２９と戻し用中空構成体３０と戻し用平板構成体３１とを積層状態で接合することにより、熱媒受入用中継路形成部分３４にて熱媒受入用中継路３３が形成されるように構成されている。
このようにして、熱媒受入用中継路３３は、供給用平板構成体２７と供給用中空構成体２８と中間平板構成体２９と戻し用中空構成体３０と戻し用平板構成体３１とを積層状態で接合することにより、熱媒供給用連通路１１と連通しかつ熱媒戻し用連通路１２と仕切られている状態で、複数の板状構成体２６の積層方向に沿って延びるように形成される。
【００４５】
そして、ヘッダ本体６における熱媒受入用接続箇所３２だけでなく、図３に示すように、ヘッダ本体６における熱媒供給部９を接続する熱媒供給用接続箇所３５、ヘッダ本体６における熱媒戻し用接続部８を接続する熱媒戻し用接続箇所３６、および、ヘッダ本体６における熱媒排出部１０を接続する熱媒排出用接続箇所３７にも、上述のような中継路を形成すべく、中継路形成部分が、図５の（ロ）〜（ニ）に示すように、供給用中空構成体２８と中間平板構成体２９と戻し用中空構成体３０とに備えられている。
【００４６】
すなわち、熱媒供給用接続箇所３５に、図３の（イ）に示すように、供給用中空構成体２８における中空空間２８ａと連通しかつ戻し用中空構成体３０における中空空間３０ａと仕切られている状態で、供給用中空構成体２８と中間平板構成体２９と戻し用中空構成体３０との積層方向に延びる熱媒供給用中継路３８を形成すべく、熱媒供給用中継路形成部分３９が、図５の（ロ）〜（ニ）に示すように、供給用中空構成体２８と中間平板構成体２９と戻し用中空構成体３０とに備えられている。
そして、熱媒戻し用接続箇所３６に、図３の（ハ）に示すように、戻し用中空構成体３０における中空空間３０ａと連通しかつ供給用中空構成体２８における中空空間２８ａと仕切られている状態で、供給用中空構成体２８と中間平板構成体２９と戻し用中空構成体３０との積層方向に延びる熱媒戻し用中継路４０を形成すべく、熱媒戻し用中継路形成部分４１が、図５の（ロ）〜（ニ）に示すように、供給用中空構成体２８と中間平板構成体２９と戻し用中空構成体３０とに備えられている。
また、熱媒排出用接続箇所３７に、図３の（イ）に示すように、戻し用中空構成体３０における中空空間３０ａと連通しかつ供給用中空構成体２８における中空空間２８ａと仕切られている状態で、供給用中空構成体２８と中間平板構成体２９と戻し用中空構成体３０との積層方向に延びる熱媒排出用中継路４２を形成すべく、熱媒排出用中継路形成部分４３が、図５の（ロ）〜（ニ）に示すように、供給用中空構成体２８と中間平板構成体２９と戻し用中空構成体３０とに備えられている。
【００４７】
そして、熱媒供給用中継路形成部分３９、熱媒戻し用中継路形成部分４１、および、熱媒排出用中継路形成部分４３については、熱媒受入用中継路形成部分３４と同様に、中空空間にて兼用したり、上下方向に貫通する貫通孔にて構成したり、中空空間と仕切られた状態で上下方向に貫通する貫通孔にて構成されている。
説明を加えると、供給用中空構成体２８に備えられる、熱媒供給用中継路形成部分３９、熱媒戻し用中継路形成部分４１、および、熱媒排出用中継路形成部分４３については、図５の（ロ）に示すように、中空空間２８ａにて兼用したり、あるいは、中空空間２８ａと仕切られた状態で上下方向に貫通する貫通孔にて構成されている。
そして、中間平板構成体２９に備えられる、熱媒供給用中継路形成部分３９、熱媒戻し用中継路形成部分４１、および、熱媒排出用中継路形成部分４３については、図５の（ハ）に示すように、上下方向に貫通する貫通孔にて構成されている。
また、戻し用中空構成体３０に備えられる、熱媒供給用中継路形成部分３９、熱媒戻し用中継路形成部分４１、および、熱媒排出用中継路形成部分４３については、図５の（ニ）に示すように、中空空間３０ａと仕切られた状態で上下方向に貫通する貫通孔にて構成したり、あるいは、中空空間３０ａにて兼用されている。
【００４８】
このようにして、供給用平板構成体２７と供給用中空構成体２８と中間平板構成体２９と戻し用中空構成体３０と戻し用平板構成体３１とを積層状態で接合することにより、熱媒受入用中継路３３、熱媒供給用中継路３８、熱媒戻し用中継路４０、および、熱媒排出用中継路４２を形成するように構成されている。
【００４９】
そして、供給用平板構成体２７と供給用中空構成体２８と中間平板構成体２９と戻し用中空構成体３０と戻し用平板構成体３１とを積層状態で接合したのち、熱媒受入用中継路３３、熱媒供給用中継路３８、熱媒戻し用中継路４０、および、熱媒排出用中継路４２に、例えば、ドリルにて孔加工することにより、熱媒受入用接続部７、熱媒戻し用接続部８、熱媒供給部９、および、熱媒排出部１０を接続するように構成されている。
【００５０】
以下、熱媒受入用接続部７、熱媒戻し用接続部８、熱媒供給部９、および、熱媒排出部１０の接続について説明を加えるが、基本的には同様であるので、熱媒受入用接続部７を接続する場合を例に挙げて説明を加える。
図６の（イ）に示すように、供給用平板構成体２７と供給用中空構成体２８と中間平板構成体２９と戻し用中空構成体３０と戻し用平板構成体３１とを積層状態で接合することにより、熱媒受入用接続箇所３２に熱媒受入用中継路３３が形成される。
そして、図６の（ロ）に示すように、熱媒受入用接続箇所３２において、供給用中空構成体２８と中間平板構成体２９と戻し用中空構成体３０とにわたる円形状の大径孔部４４をドリルにて孔加工したのち、その大径孔部４４の中央部分に、大径部４４と熱媒受入用中継路３３とを連通する円形状の小径孔部４５をドリルにて孔加工する。
その後、図６の（ハ）に示すように、大径孔部４４に熱媒受入用接続部７における円形状の鍔部７ａを嵌め込んだ状態で、ロウ付けにより熱媒受入用接続部７を熱媒受入用接続箇所３２に接続する。
【００５１】
そして、熱媒戻し用接続部８、熱媒供給部９、および、熱媒排出部１０の接続についても、熱媒受入用接続部７の接続と同様にして、ドリルにて大径孔部および小径孔部を孔加工して、ロウ付けすることにより行うようにしている。
【００５２】
〔第２実施形態〕
この第２実施形態は、上記第１実施形態におけるヘッダ本体６の構成についての別実施形態であり、その点を中心に図面に基づいて説明する。
ちなみに、その他の構成については、上記第１実施形態と同様であるので、銅符号を記すなどにより、その詳細な説明は省略する。
【００５３】
この第２実施形態においては、ヘッダ本体６が、図７〜図９に示すように、それの上下方向に分割形成された複数の板状構成体２６を積層状態で接合して構成されている。
ちなみに、図７が、床暖房パネル用熱媒ヘッダ４の斜視図であり、図８が、床暖房パネル用熱媒ヘッダ４の縦断面図であり、図９が、床暖房パネル用熱媒ヘッダ４の分解斜視図である。
【００５４】
説明を加えると、熱媒供給用連通路１１を形成する部分が、図１０〜図１２に示すように、供給用構成体１３と中間用構成体１５とから構成され、熱媒戻し用連通路１２を形成する部分が、戻し用構成体１４と中間用構成体１５とから構成されている。
そして、ヘッダ本体６が、図９に示すように、供給用構成体１３と戻し用構成体１４との間に中間用構成体１５を挟み込む状態で、供給用構成体１３と中間用構成体１５と戻し用構成体１４とを積層状態で接合して構成されている。
【００５５】
ちなみに、図１０が、供給用構成体１３を示す図であり、図１１が、中間用構成体１５を示す図であり、図１２が、戻し用構成体１４を示す図であり、図１３が、供給用構成体１３と中間用構成体１５と戻し用構成体１４とを積層状態で接合したときの縦断面図である。
また、図１０〜図１２において、（イ）は、表面図であり、（ロ）は、裏面図であり、（ハ）は、断面図である。
【００５６】
そして、熱媒供給用連通路１１を形成するための加工が、供給用構成体１３と中間用構成体１５の両方にされ、熱媒戻し用連通路１２を形成するための加工が、戻し用構成体１４と中間用構成体１５の両方にされている。
また、中間用構成体１５が、供給用構成体１３との間で熱媒供給用連通路１１を形成する供給側中間用構成体１６と戻し用構成体１４との間で熱媒戻し用連通路１２を形成する戻し側中間用構成体１７とから構成され、供給側中間用構成体１６と戻し側中間用構成体１７とが、一体的に形成されている。
【００５７】
説明を加えると、供給用構成体１３と戻し用構成体１４と中間用構成体１５は、いずれもステンレス製の薄板体にて構成され、供給側中間用構成体１６と戻し側中間用構成体１７とが、中間用構成体１５の表裏になるように構成されている。
そして、熱媒供給用連通路１１を形成するための加工は、例えば、フライス加工、鍛造、鋳造、および、エッチング加工のうち、いずれかの加工により、供給用構成体１３と中間用構成体１５の両方にされ、熱媒戻し用連通路１２を形成するための加工についても、例えば、フライス加工、鍛造、鋳造、および、エッチング加工のうち、いずれかの加工により、戻し用構成体１４と中間用構成体１５の両方にされている。
【００５８】
熱媒供給用連通路１１を形成するための加工について説明を加えると、図９に示すように、供給用構成体１３の裏面部と中間用構成体１５の表面側である供給側中間用構成体１６とを重ね合わせることにより、その間にヘッダ本体６の上下方向に薄く横幅が広い偏平な受入用空間１８を形成しかつその受入用空間１８と外部とが熱媒受入用接続部７を接続する熱媒受入用接続箇所１３ａ，１６ａおよび熱媒供給部９を接続する熱媒供給用接続箇所１３ｂ，１６ｂにて連通するように、供給用構成体１３の裏面部と供給側中間用構成体１６とを凹入状に加工するようにしている。
説明を加えると、供給用構成体１３の裏面部と供給側中間用構成体１６とには、図１０の（ロ）および図１１の（イ）に示すように、熱媒供給用接続箇所１３ｂ，１６ｂにて外部と連通する状態で、平面視においてその中央側部分が凹入する凹入部１３ｃ，１６ｃを形成するように加工されている。
【００５９】
また、熱媒戻し用連通路１２を形成するための加工について説明を加えると、熱媒供給用連通路１１を形成するための加工と同様に、図９に示すように、戻し用構成体１４の表面部と中間用構成体１５の裏面側である戻し側中間用構成体１７とを重ね合わせることにより、その間にヘッダ本体６の上下方向に薄く横幅が広い偏平な戻し用空間１９を形成しかつその戻し用空間１９と外部とが熱媒戻し用接続部８を接続する熱媒戻し用接続箇所１４ａ，１７ａおよび熱媒排出部１０を接続する熱媒排出用接続箇所１４ｂ，１７ｂにて連通するように、戻し用構成体１４の表面部と戻し側中間用構成体１７とを凹入状に加工するようにしている。
説明を加えると、戻し用構成体１４の表面部と戻し側中間用構成体１７とには、図１１の（ロ）および図１２の（イ）に示すように、熱媒戻し用接続箇所１４ａ，１７ａおよび熱媒排出用接続箇所１４ｂ，１７ｂにて外部と連通する状態で、平面視においてその中央側部分が凹入する凹入部１４ｃ，１７ｃを形成するように加工されている。
【００６０】
このようにして、供給用構成体１３を、断面が凹入状の薄板体にて構成し、中間用構成体１５を、断面がＨ字状の薄板体にて構成し、戻し用構成体１４を、断面が凹入状の薄板体にて構成するようにしている。
そして、受入用空間１８が、熱媒供給用連通路１１として構成され、戻し用空間１９が、熱媒戻し用連通路１２として構成されている。
【００６１】
前記供給用構成体１３と中間用構成体１５と戻し用構成体１４との接合については、供給用構成体１３と中間用構成体１５と戻し用構成体１４とを積層状態として、大きな接合面を備えて、例えば、ロウ付けにより、供給用構成体１３と中間用構成体１５と戻し用構成体１４とを大きな接合面にて接合するように構成されている。
【００６２】
前記熱媒供給部９は、図８に示すように、その内部に、ヘッダ本体６の上下方向にずれている受入用空間１８と戻し用空間１９との両方に連通可能な大径の供給用孔部２０と、その供給用孔部２０に連通する供給用通路２１とを備えて構成されている。
そして、供給用構成体１３と中間用構成体１５と戻し用構成体１４とを積層状態で接合したヘッダ本体６において、図９に示すように、熱媒供給用接続箇所１３ｂ，１６ｂの夫々に、例えば、ロウ付けなどにより熱媒供給部９を接合するようにしている。
このようにして、熱媒供給用接続箇所１３ｂ，１６ｂの夫々に熱媒供給部９を接合することにより、受入用空間１８に受け入れられる熱媒を供給用孔部２０を通して供給用通路２１に分流するように構成されている。
【００６３】
前記熱媒排出部１０は、その内部に、ヘッダ本体６の上下方向にずれている受入用空間１８と戻し用空間１９との両方に連通可能な大径の排出用孔部２２と、その排出用孔部２２に連通する排出用通路２３とを備えて構成されている。
そして、供給用構成体１３と中間用構成体１５と戻し用構成体１４とを積層状態で接合したヘッダ本体６において、図９に示すように、熱媒排出用接続箇所１４ｂ，１７ｂの夫々に、例えば、ロウ付けなどにより熱媒排出部１０を接合するようにしている。
このようにして、熱媒排出用接続箇所１４ｂ，１７ｂの夫々に熱媒排出部１０を接合することにより、排出用通路２２を通流する熱媒を排出用孔部２２を通して戻し用空間１９に合流するように構成されている。
【００６４】
また、熱媒受入用接続部７および熱媒戻し用接続部８については、熱媒供給部９や熱媒排出部１０と同様の構成であるので、図示はしないが、ヘッダ本体６の上下方向にずれている受入用空間１８と戻し用空間１９との両方に連通可能な大径の孔部と、その孔部に連通する通路とを備えて構成されている。
そして、熱媒受入用接続箇所１３ａ，１６ａに、例えば、ロウ付けにて熱媒受入用接続部７を接合し、熱媒戻し用接続箇所１４ａ，１７ａに、例えば、ロウ付けにて熱媒戻し用接続部８に接合するようにしている。
【００６５】
〔第３実施形態〕
この第３実施形態は、上記第２実施形態のヘッダ本体６において、供給用構成体１３と中間用構成体１５と戻し用構成体１４についての別実施形態であり、その点を中心に図面に基づいて説明する。
ちなみに、その他の構成については、上記第２実施形態と同様であるので、同符号を記すなどにより、その詳細な説明は省略する。
【００６６】
この第３実施形態においては、図１４〜図１７に示すように、供給用構成体１３と中間用構成体１５との間、および、中間用構成体１５と戻し用構成体１４との間には、供給用構成体１３と中間用構成体１５と戻し用構成体１４との積層方向での強度を補強する補強体２４が備えられている。
【００６７】
ちなみに、図１４が、供給用構成体１３を示す図であり、図１５が、中間用構成体１５を示す図であり、図１６が、戻し用構成体１４を示す図であり、図１７が、供給用構成体１３と中間用構成体１５と戻し用構成体１４とを積層状態で接合したときの縦断面図である。
また、図１４〜図１６において、（イ）は、表面図であり、（ロ）は、裏面図であり、（ハ）は、断面図である。
【００６８】
説明を加えると、供給用構成体１３の裏面部と供給側中間用構成体１６とには、図１４の（ロ）および図１５の（イ）に示すように、凹入部１３ｃ，１６ｃに凸型円柱状の供給側補強体２４ａが加工され、戻し用構成体１４の表面部と戻し側中間用構成体１７とにも、図１５の（ロ）および図１６の（イ）に示すように、凹入部１４ｃ，１７ｃに凸型円柱状の戻し側補強体２４ｂが加工されている。
そして、補強体２４が、凸型円柱状の供給側補強体２４ａと凸型円柱状の戻し側補強体２４ｂとから構成され、この補強体２４にて、供給用構成体１３と中間用構成体１５と戻し用構成体１４との積層方向、すなわちヘッダ本体６の上下方向での荷重に対する強度を補強するように構成されている。
【００６９】
ちなみに、補強体２４の形状については、適宜変更が可能であり、例えば、図１８の（イ）に示すように、供給用構成体１３の裏面部、供給側中間用構成体１６、戻し用構成体１４の表面部、および、戻し側中間用構成体１７の夫々に、凸型十字状の補強体２４を加工したり、あるいは、図１８の（ロ）に示すように、凸型棒状の補強体２４を加工して実施することも可能である。
【００７０】
〔第４実施形態〕
この第４実施形態は、上記第２実施形態のヘッダ本体６において、供給用構成体１３と中間用構成体１５と戻し用構成体１４についての別実施形態であり、その点を中心に図面に基づいて説明を加える。
ちなみに、その他の構成については、上記第２実施形態と同様であるので、同符号を記すなどにより、その詳細な説明は省略する。
【００７１】
上記第２実施形態では、熱媒供給用連通路１１を形成するための加工が、供給用構成体１３と中間用構成体１５の両方にされ、熱媒戻し用連通路１２を形成するための加工が、戻し用構成体１４と中間用構成体１５の両方にされているが、この第４実施形態では、図１９〜図２２に示すように、熱媒供給用連通路１１を形成するための加工が、供給用構成体１３と中間用構成体１５のうち、供給用構成体１３のみにされ、熱媒戻し用連通路１２を形成するための加工が、戻し用構成体１４と中間用構成体１５のうち、戻し用構成体１４のみにされている。
【００７２】
ちなみに、図１９が、供給用構成体１３を示す図であり、図２０が、中間用構成体１５を示す図であり、図２１が、戻し用構成体１４を示す図であり、図２２が、供給用構成体１３と中間用構成体１５と戻し用構成体１４とを積層状態で接合したときの縦断面図である。
また、図１９〜図２１において、（イ）は、表面図であり、（ロ）は、裏面図であり、（ハ）は、断面図である。
【００７３】
説明を加えると、中間用構成体１５は、図２０に示すように、単に、薄板状に形成され、その薄板状の中間用構成体１５の表裏が、供給側中間用構成体１６と戻し側中間用構成体１７とになるように構成されている。
そして、図１９の（ロ）に示すように、供給用構成体１３の裏面部と供給側中間用構成体１６とのうち、供給用構成体１３の裏面部のみに凹入部１３ｃを形成するように加工され、図２１の（イ）に示すように、戻し用構成体１４の表面部と戻し側中間用構成体１７とのうち、戻し用構成体１４の表面部のみに凹入部１４ｃを形成するように加工されている。
【００７４】
〔第５実施形態〕
この第５実施形態は、上記第２実施形態のヘッダ本体６において、供給用構成体１３と中間用構成体１５と戻し用構成体１４についての別実施形態であり、その点を中心に説明を加える。
ちなみに、その他の構成については、上記第２実施形態と同様であるので、同符号を記すなどにより、その詳細な説明は省略する。
【００７５】
この第５実施形態においては、図２３〜図２７に示すように、中間用構成体１５における供給側中間用構成体１６と戻し側中間用構成体１７とが、別体にて形成されて、供給用構成体１３と供給側中間用構成体１６と戻し側中間用構成体１７と戻し用構成体１４とが積層状態に接合されている。
そして、中間用構成体１５は、熱媒供給用連通路１１と熱媒戻し用連通路１２との間を断熱するように構成されている。
また、熱媒供給用連通路１１を形成するための加工は、供給用構成体１３と中間用構成体１５の両方にされ、熱媒戻し用連通路１２を形成するための加工についても、戻し用構成体１４と中間用構成体１５の両方にされている。
【００７６】
ちなみに、図２３が、供給用構成体１３を示す図であり、図２４が、供給側中間用構成体１６を示す図であり、図２５が、戻し側中間用構成体１７を示す図であり、図２６が、戻し用構成体１４を示す図であり、図２７が、供給用構成体１３と供給側中間用構成体１６と戻し側中間用構成体１７と戻し用構成体１４とを積層状態で接合したときの縦断面図である。
また、図２３〜図２６において、（イ）は、表面図であり、（ロ）は、裏面図であり、（ハ）は、断面図である。
【００７７】
説明を加えると、図２３の（ロ）および図２４の（イ）に示すように、供給用構成体１３の裏面部と供給側中間用構成体１６の表面部とに凹入部１３ｃ，１６ｃを形成するように加工され、図２５の（ロ）および図２６の（イ）に示すように、戻し用構成体１４の表面部と戻し側中間用構成体１７の裏面部とに凹入部１４ｃ，１７ｃを形成するように加工されている。
【００７８】
また、供給側中間用構成体１６の裏面部と戻し側中間用構成体１７の表面部とを重ね合わせることにより、その間にヘッダ本体６の上下方向に薄く横幅の広い偏平な空気層密閉空間２５を形成するように、供給側中間用構成体１６の裏面部と戻し側中間用構成体１７の表面部とを凹入状に加工するようにしている。
説明を加えると、図２４の（ロ）および図２５の（イ）に示すように、供給側中間用構成体１６の裏面部と戻し側中間用構成体１７の表面部とに、平面視でその中央部分が凹入する凹入部１６ｄ，１７ｄが加工されている。
【００７９】
このようにして、供給用構成体１３を、断面が凹入状の薄板体にて構成し、供給側中間用構成体１６を、断面がＨ字状の薄板体にて構成し、戻し側中間用構成体１７を、断面がＨ字状の薄板体にて構成し、戻し用構成体１４を、断面が凹入状の薄板体にて構成するようにしている。
そして、このような形状の供給用構成体１３と供給側中間用構成体１６と戻し側中間用構成体１７と戻し用構成体１４とを積層状態で接合することによって、ヘッダ本体６の上下方向において、熱媒供給用連通路１１と熱媒戻し用連通路１２との間に空気層密閉空間２５を形成して、熱媒供給用連通路１１と熱媒戻し用連通路１２との間を断熱するように構成されている。
【００８０】
〔別実施形態〕
（１）上記第１実施形態において、例えば、中間平板構成体２９を３枚の板体を積層して構成し、上下の板体の間に位置する真中の板体の内部を繰り抜いて、熱媒供給用連通路１１と熱媒戻し用連通路１２との間に中空空間を形成させて、熱媒供給用連通路１１と熱媒戻し用連通路１２との間を断熱するように構成して実施することも可能である。
【００８１】
（２）上記第４および第５実施形態では、供給用構成体１３と中間用構成体１５と戻し用構成体１４との積層方向での強度を補強する補強体を備えていないが、供給用構成体１３と中間用構成体１５との間、および、中間用構成体１５と戻し用構成体１４との間に、供給用構成体１３と中間用構成体１５と戻し用構成体１４との積層方向での強度を補強する補強体２４を備えて構成して実施することも可能である。
【００８２】
上記第４実施形態では、図２８に示すように、供給用構成体１３の裏面部のみおよび戻し用構成体１４の表面部のみに補強体２４を形成するように加工を施すことにより、供給用構成体１３と中間用構成体１５との間、および、中間用構成体１５と戻し用構成体１４との間に、供給用構成体１３と中間用構成体１５と戻し用構成体１４との積層方向での強度を補強する補強体２４を備えるようにしている
【００８３】
上記第５実施形態では、図２９に示すように、供給用構成体１３の裏面部、供給側中間用構成体１６の表面部、戻し側中間用構成体１７の裏面部、および、戻し用構成体１４の表面図に補強体２４を形成するように加工を施すことにより、供給用構成体１３と中間用構成体１５との間、および、中間用構成体１５と戻し用構成体１４との間に、供給用構成体１３と中間用構成体１５と戻し用構成体１４との積層方向での強度を補強する補強体２４を備えるようにしている。
【００８４】
（３）上記第５実施形態では、供給側中間用構成体１６の裏面部と戻し側中間用構成体１７の表面部に凹入部１６ｄ，１７ｄを加工することにより、熱媒供給用連通路１１と熱媒戻し用連通路１２との間に空気層密閉空間２５を形成して断熱するように構成しているが、供給側中間用構成体１６の裏面部と戻し側中間用構成体１７の表面部には、とくに加工を施さず、熱媒供給用連通路１１と熱媒戻し用連通路１２との間を断熱せずに実施することも可能である。
【００８５】
（４）上記第５実施形態では、熱媒供給用連通路１１を形成するための加工が、供給用構成体１３と中間用構成体１５の両方にされ、熱媒戻し用連通路１２を形成するための加工が、戻し用構成体１４と中間用構成体１５の両方にされているが、熱媒供給用連通路１１を形成するための加工を、供給用構成体１３と中間用構成体１５のうち、供給用構成体１３のみにし、熱媒戻し用連通路１２を形成するための加工を、戻し用構成体１４と中間用構成体１５のうち、戻し用構成体１４のみにして実施することも可能である。
【００８６】
（５）上記第１〜４実施形態では、ヘッダ本体６の上下方向において、熱媒供給用連通路１１が熱媒戻し用連通路１２よりも上方側になるように、複数の板状構成体２６を積層状態で接合するようにしているが、熱媒戻し用連通路１２が熱媒供給用連通路１１よりも上方側になるように、複数の板状構成体２６を積層状態で接合して実施することも可能である。
【００８７】
（６）上記第１〜第５施形態では、熱媒供給部９と熱媒排出部１０を４つずつ設けているが、熱媒供給部９と熱媒排出部１０の数については適宜変更が可能である。
【００８８】
（７）上記第１実施形態では、複数の板状構成体２６のいずれもが、真鍮製の薄板体にて構成され、上記第２〜第５実施形態では、複数の板状構成体２６のいずれもが、ステンレス製の薄板体にて構成されているが、上記第１実施形態では、複数の板状構成体２６の材質をステンレス製としてもよく、上記第２〜第５実施形態では、複数の板状構成体２６の材質を真鍮製としてもよく、板状構成体２６の材質については適宜変更が可能である。
【図面の簡単な説明】
【００８９】
【図１】床暖房パネルの平面図
【図２】第１実施形態における床暖房パネル用熱媒ヘッダの斜視図
【図３】第１実施形態における床暖房パネル用熱媒ヘッダの縦断面図
【図４】第１実施形態におけるヘッダ本体の分解斜視図
【図５】第１実施形態における板状構成体の平面図
【図６】第１実施形態におけるヘッダ本体の要部を示す縦断面図
【図７】第２実施形態における床暖房パネル用熱媒ヘッダの斜視図
【図８】第２実施形態における床暖房パネル用熱媒ヘッダの縦断面図
【図９】第２実施形態における床暖房パネル用熱媒ヘッダの分解斜視図
【図１０】第２実施形態における供給用構成体を示す図
【図１１】第２実施形態における中間用構成体を示す図
【図１２】第２実施形態における戻し用構成体を示す図
【図１３】第２実施形態における供給用構成体と中間用構成体と戻し用構成体を積層状態で接合したときの縦断面図
【図１４】第３実施形態における供給用構成体を示す図
【図１５】第３実施形態における中間用構成体を示す図
【図１６】第３実施形態における戻し用構成体を示す図
【図１７】第３実施形態における供給用構成体と中間用構成体と戻し用構成体を積層状態で接合したときの縦断面図
【図１８】補強体の形状の別実施形態を示す図
【図１９】第４実施形態における供給用構成体を示す図
【図２０】第４実施形態における中間用構成体を示す図
【図２１】第４実施形態における戻し用構成体を示す図
【図２２】第４実施形態における供給用構成体と中間用構成体と戻し用構成体を積層状態で接合したときの縦断面図
【図２３】第５実施形態における供給用構成体を示す図
【図２４】第５実施形態における供給側中間用構成体を示す図
【図２５】第５実施形態における戻し側中間用構成体を示す図
【図２６】第５実施形態における戻し用構成体を示す図
【図２７】第５実施形態における供給用構成体と中間用構成体と戻し用構成体を積層状態で接合したときの縦断面図
【図２８】別実施形態における供給用構成体と中間用構成体と戻し用構成体を積層状態で接合したときの縦断面図
【図２９】別実施形態における供給用構成体と中間用構成体と戻し用構成体を積層状態で接合したときの縦断面図
【符号の説明】
【００９０】
６              ヘッダ本体
７              熱媒受入用接続部
８              熱媒戻し用接続部
９              熱媒供給部
１０            熱媒排出部
１１            熱媒供給用連通路
１２            熱媒戻し用連通路
２５            空気層密閉空間
２６            板状構成体
【図１】
2008057969.tif 000003
【図２】
2008057969.tif 000004
【図３】
2008057969.tif 000005
【図４】
2008057969.tif 000006
【図５】
2008057969.tif 000007
【図６】
2008057969.tif 000008
【図７】
2008057969.tif 000009
【図８】
2008057969.tif 000010
【図９】
2008057969.tif 000011
【図１０】
2008057969.tif 000012
【図１１】
2008057969.tif 000013
【図１２】
2008057969.tif 000014
【図１３】
2008057969.tif 000015
【図１４】
2008057969.tif 000016
【図１５】
2008057969.tif 000017
【図１６】
2008057969.tif 000018
【図１７】
2008057969.tif 000019
【図１８】
2008057969.tif 000020
【図１９】
2008057969.tif 000021
【図２０】
2008057969.tif 000022
【図２１】
2008057969.tif 000023
【図２２】
2008057969.tif 000024
【図２３】
2008057969.tif 000025
【図２４】
2008057969.tif 000026
【図２５】
2008057969.tif 000027
【図２６】
2008057969.tif 000028
【図２７】
2008057969.tif 000029
【図２８】
2008057969.tif 000030
【図２９】
2008057969.tif 000031
【手続補正書】
【提出日】平成19年10月16日(2007.10.16)
【手続補正１】
【補正対象書類名】明細書
【補正対象項目名】００１２
【補正方法】変更
【補正の内容】
【００１２】
この目的を達成するために、請求項１に記載の発明によれば、板状のブロック体からなるヘッダ本体の外周部に、熱源からの熱媒受入用接続部、熱源への熱媒戻し用接続部、床暖房パネルの熱媒入口に接続される熱媒供給部、および、床暖房パネルの熱媒出口に接続される熱媒排出部が備えられ、
前記ヘッダ本体の内部には、前記熱媒受入用接続部と前記熱媒供給部とを連通接続する熱媒供給用連通路と、前記熱媒戻し用接続部と前記熱媒排出部とを連通接続する熱媒戻し用連通路とが前記ヘッダ本体の上下方向にずらした状態で区画形成されている床暖房パネル用熱媒ヘッダにおいて、
前記ヘッダ本体の外側面部のうち、対向する一対の外側面部には、前記熱媒供給部と前記熱媒排出部とが前記ヘッダ本体の外周方向に交互に並ぶ状態で配設され、前記ヘッダ本体が、それの上下方向に分割形成された複数の板状構成体を積層状態で接合して構成され、前記ヘッダ本体は、前記熱媒供給用連通路と前記熱媒戻し用連通路との間に空気層密閉空間を形成して、前記熱媒供給用連通路と前記熱媒戻し用連通路との間を断熱するように構成されていることを特徴とする。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
又、請求項１に記載の発明によれば、床暖房パネルに供給される熱媒供給用連通路を通流する熱媒と、床暖房パネルの通過により温度低下した熱媒戻し用連通路を通流する熱媒との間での熱の授受を防止することができることになるので、熱媒供給用連通路を通流する熱媒が熱媒戻し用連通路を通流する熱媒にて冷却されることを防止することができることになる。
したがって、床暖房パネルに供給される熱媒の温度が低くなるのを防止することができ
ることとなって、暖房能力が低下するのを防止できることになる。
【手続補正１６】
【補正対象書類名】明細書
【補正対象項目名】００３１
【補正方法】変更
【補正の内容】
【００３１】
本発明にかかる床暖房パネル用熱媒ヘッダを適応した床暖房パネルを図面に基づいて説明する。
〔第１の参考の実施形態〕
この床暖房パネルは、図１に示すように、熱媒流通管１が埋入状態で配管されている板状基材２からなる床暖房パネル本体３から構成され、その床暖房パネル本体３に蛇行状に配管されている熱媒流通管１に床暖房パネル用熱媒ヘッダ４を介して図外の熱源機から熱媒としての温水を流通させることにより、暖房対象の床を暖房するように構成されている。
そして、床暖房パネル用熱媒ヘッダ４には、４本の熱媒流通管１が接続され、板状基材２に形成された溝部に熱媒流通管１を嵌め込むことにより、熱媒流通管１を埋入状態で配管するように構成されている。
【手続補正１７】
【補正対象書類名】明細書
【補正対象項目名】００５２
【補正方法】変更
【補正の内容】
【００５２】
〔第２の参考の実施形態〕
この第２の参考の実施形態は、上記第１の参考の実施形態におけるヘッダ本体６の構成についての別実施形態であり、その点を中心に図面に基づいて説明する。
ちなみに、その他の構成については、上記第１の参考の実施形態と同様であるので、同符号を記すなどにより、その詳細な説明は省略する。
【手続補正１８】
【補正対象書類名】明細書
【補正対象項目名】００５３
【補正方法】変更
【補正の内容】
【００５３】
この第２の参考の実施形態においては、ヘッダ本体６が、図７〜図９に示すように、それの上下方向に分割形成された複数の板状構成体２６を積層状態で接合して構成されている。
ちなみに、図７が、床暖房パネル用熱媒ヘッダ４の斜視図であり、図８が、床暖房パネル用熱媒ヘッダ４の縦断面図であり、図９が、床暖房パネル用熱媒ヘッダ４の分解斜視図である。
【手続補正１９】
【補正対象書類名】明細書
【補正対象項目名】００６５
【補正方法】削除
【補正の内容】
【手続補正２０】
【補正対象書類名】明細書
【補正対象項目名】００６６
【補正方法】削除
【補正の内容】
【手続補正２１】
【補正対象書類名】明細書
【補正対象項目名】００６７
【補正方法】削除
【補正の内容】
【手続補正２２】
【補正対象書類名】明細書
【補正対象項目名】００６８
【補正方法】削除
【補正の内容】
【手続補正２３】
【補正対象書類名】明細書
【補正対象項目名】００６９
【補正方法】削除
【補正の内容】
【手続補正２４】
【補正対象書類名】明細書
【補正対象項目名】００７０
【補正方法】削除
【補正の内容】
【手続補正２５】
【補正対象書類名】明細書
【補正対象項目名】００７１
【補正方法】削除
【補正の内容】
【手続補正２６】
【補正対象書類名】明細書
【補正対象項目名】００７２
【補正方法】削除
【補正の内容】
【手続補正２７】
【補正対象書類名】明細書
【補正対象項目名】００７３
【補正方法】削除
【補正の内容】
【手続補正２８】
【補正対象書類名】明細書
【補正対象項目名】００７４
【補正方法】変更
【補正の内容】
【００７４】
〔本発明の実施形態〕
本発明の実施形態は、上記第２の参考の実施形態のヘッダ本体６において、供給用構成体１３と中間用構成体１５と戻し用構成体１４についての別実施形態であり、その点を中心に説明を加える。
ちなみに、その他の構成については、上記第２の参考の実施形態と同様であるので、同符号を記すなどにより、その詳細な説明は省略する。
【手続補正２９】
【補正対象書類名】明細書
【補正対象項目名】００７５
【補正方法】変更
【補正の内容】
【００７５】
この本発明の実施形態においては、図２３〜図２７に示すように、中間用構成体１５における供給側中間用構成体１６と戻し側中間用構成体１７とが、別体にて形成されて、供給用構成体１３と供給側中間用構成体１６と戻し側中間用構成体１７と戻し用構成体１４とが積層状態に接合されている。
そして、中間用構成体１５は、熱媒供給用連通路１１と熱媒戻し用連通路１２との間を断熱するように構成されている。
また、熱媒供給用連通路１１を形成するための加工は、供給用構成体１３と中間用構成体１５の両方にされ、熱媒戻し用連通路１２を形成するための加工についても、戻し用構成体１４と中間用構成体１５の両方にされている。
【手続補正３０】
【補正対象書類名】明細書
【補正対象項目名】００８０
【補正方法】変更
【補正の内容】
【００８０】
〔別実施形態〕
（１）上記第１の参考の実施形態において、例えば、中間平板構成体２９を３枚の板体を積層して構成し、上下の板体の間に位置する真中の板体の内部を繰り抜いて、熱媒供給用連通路１１と熱媒戻し用連通路１２との間に中空空間を形成させて、熱媒供給用連通路１１と熱媒戻し用連通路１２との間を断熱するように構成して実施することも可能である。
【手続補正３１】
【補正対象書類名】明細書
【補正対象項目名】００８１
【補正方法】削除
【補正の内容】
【手続補正３２】
【補正対象書類名】明細書
【補正対象項目名】００８２
【補正方法】削除
【補正の内容】
【手続補正３３】
【補正対象書類名】明細書
【補正対象項目名】００８３
【補正方法】削除
【補正の内容】
【手続補正３４】
【補正対象書類名】明細書
【補正対象項目名】００８４
【補正方法】削除
【補正の内容】
【手続補正３５】
【補正対象書類名】明細書
【補正対象項目名】００８５
【補正方法】変更
【補正の内容】
【００８５】
（２）上記本発明の実施形態では、熱媒供給用連通路１１を形成するための加工が、供給用構成体１３と中間用構成体１５の両方にされ、熱媒戻し用連通路１２を形成するための加工が、戻し用構成体１４と中間用構成体１５の両方にされているが、熱媒供給用連通路１１を形成するための加工を、供給用構成体１３と中間用構成体１５のうち、供給用構成体１３のみにし、熱媒戻し用連通路１２を形成するための加工を、戻し用構成体１４と中間用構成体１５のうち、戻し用構成体１４のみにして実施することも可能である。
【手続補正３６】
【補正対象書類名】明細書
【補正対象項目名】００８６
【補正方法】変更
【補正の内容】
【００８６】
（３）上記第１の参考の実施形態及び第２の参考の実施形態では、ヘッダ本体６の上下方向において、熱媒供給用連通路１１が熱媒戻し用連通路１２よりも上方側になるように、複数の板状構成体２６を積層状態で接合するようにしているが、熱媒戻し用連通路１２が熱媒供給用連通路１１よりも上方側になるように、複数の板状構成体２６を積層状態で接合して実施することも可能である。
【手続補正３７】
【補正対象書類名】明細書
【補正対象項目名】００８７
【補正方法】変更
【補正の内容】
【００８７】
（４）上記第１の参考の実施形態、第２の参考の実施形態及び本発明の実施形態では、熱媒供給部９と熱媒排出部１０を４つずつ設けているが、熱媒供給部９と熱媒排出部１０の数については適宜変更が可能である。
【手続補正３８】
【補正対象書類名】明細書
【補正対象項目名】００８８
【補正方法】変更
【補正の内容】
【００８８】
（５）上記第１の参考の実施形態では、複数の板状構成体２６のいずれもが、真鍮製の薄板体にて構成され、上記第２の参考の実施形態及び本発明の実施形態では、複数の板状構成体２６のいずれもが、ステンレス製の薄板体にて構成されているが、上記第１の参考の実施形態では、複数の板状構成体２６の材質をステンレス製としてもよく、上記第２の参考の実施形態及び本発明の実施形態では、複数の板状構成体２６の材質を真鍮製としてもよく、板状構成体２６の材質については適宜変更が可能である。
【手続補正３９】
【補正対象書類名】明細書
【補正対象項目名】００８９
【補正方法】変更
【補正の内容】
【００８９】
【図１】床暖房パネルの平面図
【図２】第１の参考の実施形態における床暖房パネル用熱媒ヘッダの斜視図
【図３】第１の参考の実施形態における床暖房パネル用熱媒ヘッダの縦断面図
【図４】第１の参考の実施形態におけるヘッダ本体の分解斜視図
【図５】第１の参考の実施形態における板状構成体の平面図
【図６】第１の参考の実施形態におけるヘッダ本体の要部を示す縦断面図
【図７】第２の参考の実施形態における床暖房パネル用熱媒ヘッダの斜視図
【図８】第２の参考の実施形態における床暖房パネル用熱媒ヘッダの縦断面図
【図９】第２の参考の実施形態における床暖房パネル用熱媒ヘッダの分解斜視図
【図１０】第２の参考の実施形態における供給用構成体を示す図
【図１１】第２の参考の実施形態における中間用構成体を示す図
【図１２】第２の参考の実施形態における戻し用構成体を示す図
【図１３】第２の参考の実施形態における供給用構成体と中間用構成体と戻し用構成体を積層状態で接合したときの縦断面図
【図１４】本発明の実施形態における供給用構成体を示す図
【図１５】本発明の実施形態における供給側中間用構成体を示す図
【図１６】本発明の実施形態における戻し側中間用構成体を示す図
【図１７】本発明の実施形態における戻し用構成体を示す図
【図１８】本発明の実施形態における供給用構成体と中間用構成体と戻し用構成体を積層状態で接合したときの縦断面図
【手続補正４０】
【補正対象書類名】図面
【補正対象項目名】図１４
【補正方法】変更
【補正の内容】
【図１４】
2008057969.tif 000032
【手続補正４１】
【補正対象書類名】図面
【補正対象項目名】図１５
【補正方法】変更
【補正の内容】
【図１５】
2008057969.tif 000033
【手続補正４２】
【補正対象書類名】図面
【補正対象項目名】図１６
【補正方法】変更
【補正の内容】
【図１６】
2008057969.tif 000034
【手続補正４３】
【補正対象書類名】図面
【補正対象項目名】図１７
【補正方法】変更
【補正の内容】
【図１７】
2008057969.tif 000035
【手続補正４４】
【補正対象書類名】図面
【補正対象項目名】図１８
【補正方法】変更
【補正の内容】
【図１８】
2008057969.tif 000036
【手続補正４５】
【補正対象書類名】図面
【補正対象項目名】図２９
【補正方法】削除
【補正の内容】
【手続補正４６】
【補正対象書類名】図面
【補正対象項目名】図２８
【補正方法】削除
【補正の内容】
【手続補正４７】
【補正対象書類名】図面
【補正対象項目名】図２７
【補正方法】削除
【補正の内容】
【手続補正４８】
【補正対象書類名】図面
【補正対象項目名】図２６
【補正方法】削除
【補正の内容】
【手続補正４９】
【補正対象書類名】図面
【補正対象項目名】図２５
【補正方法】削除
【補正の内容】
【手続補正５０】
【補正対象書類名】図面
【補正対象項目名】図２４
【補正方法】削除
【補正の内容】
【手続補正５１】
【補正対象書類名】図面
【補正対象項目名】図２３
【補正方法】削除
【補正の内容】
【手続補正５２】
【補正対象書類名】図面
【補正対象項目名】図２２
【補正方法】削除
【補正の内容】
【手続補正５３】
【補正対象書類名】図面
【補正対象項目名】図２１
【補正方法】削除
【補正の内容】
【手続補正５４】
【補正対象書類名】図面
【補正対象項目名】図２０
【補正方法】削除
【補正の内容】
【手続補正５５】
【補正対象書類名】図面
【補正対象項目名】図１９
【補正方法】削除
【補正の内容】